(57)【要約】【課題】  通話相手の言語が外国語の場合等のように、通常の速度で聞き取ることが困難な場合に話速を変換する状態に使用者が切り替え操作する方がより実用的である。この時、使用者が音声を確認してから切り替え操作が行われるため、煩雑な操作を必要とする。加えて、一般に通話を開始した初期に告げられる相手先の氏名や名称を正確に聞き取れない場合がある。そこで、利便性を向上することのできる電話機を提供する。【解決手段】  通話相手の話速を変換する話速変換部２２と、着信した直後の通話相手の音声の言語を判別する音声認識部２０とを備え、音声認識部２０により日本語を認識した場合よりも外国語を認識した場合の話速を遅くした。【選択図】        図２
2007081643.tif 000002
【特許請求の範囲】
【請求項１】
通話相手の話速を変換する話速変換部と、着信した直後の通話相手の通話言語を判別する音声認識部とを備え、前記音声認識部が判別した言語に応じて前記話速変換部により話速変換することを特徴とする電話機。
【請求項２】
前記音声認識部により日本語を認識した場合よりも外国語を認識した場合の話速を遅くすることを特徴とする請求項１に記載の電話機。
【請求項３】
前記音声認識部の判別結果に拘わらず通話相手の話速を切り替える切替手段を設けたことを特徴とする請求項１または請求項２に記載の電話機。
【発明の詳細な説明】
【技術分野】
【０００１】
本発明は、話速変換機能を有する電話機に関する。
【背景技術】
【０００２】
従来の電話機は特許文献１に開示されている。この電話機は通話相手の音声信号の時間軸を圧縮または伸長して音声信号の再生速度を変更する話速変換部を有している。使用者は着信があった際に必要に応じて切り替え操作を行い、話速変換部により話速を所望の速度に変換して再生することができる。また、話速を予め設定し、着信があった際に話速変換部により自動的に話速を遅くすることができる。これにより、高齢者が電話機を利用する場合や、通話相手の通話言語が外国語の場合に話速変換部により通話相手の通話速度を遅くして聞き取りやすくすることができる。
【特許文献１】特開２００１−５３８３５号公報（第７頁−第１０頁、第１図）
【発明の開示】
【発明が解決しようとする課題】
【０００３】
しかしながら、上記従来の電話機によると、自動的に話速が遅くなるように設定すると、例えば、通話相手の言語が日本語で通常の速度でも聞き取ることが可能な場合であっても話速が遅くなる。このため、返答するまでに時間がかかって会話がぎこちなくなる場合や、再生速度の遅い音声により使用者が違和感を感じる場合がある。
【０００４】
このため、通話相手の言語が外国語の場合等のように、通常の速度で聞き取ることが困難な場合に話速を変換する状態に使用者が切り替え操作する方がより実用的である。この時、使用者が音声を確認してから切り替え操作が行われるため、煩雑な操作を必要とする。加えて、一般に通話を開始した初期に告げられる相手先の氏名や名称を正確に聞き取れない場合がある。従って、電話機の利便性が悪い問題があった。
【０００５】
本発明は、利便性を向上できる電話機を提供することを目的とする。
【課題を解決するための手段】
【０００６】
上記目的を達成するために本発明は、通話相手の話速を変換する話速変換部と、着信した直後の通話相手の通話言語を判別する音声認識部とを備え、前記音声認識部が判別した言語に応じて前記話速変換部により話速変換することを特徴としている。
【０００７】
この構成によると、着信直後に通話相手の通話言語が音声認識部により判別され、認識した言語に応じて通常（１倍速）の話速や例えば１／２倍速の話速に可変して通話相手の音声が再生される。
【０００８】
また本発明は、上記構成の電話機において、前記音声認識部により日本語を認識した場合よりも外国語を認識した場合の話速を遅くすることを特徴としている。
【０００９】
また本発明は、上記構成の電話機において、前記音声認識部の判別結果に拘わらず通話相手の話速を切り替える切替手段を設けたことを特徴としている。この構成によると、切替手段の操作により、通話相手の音声が所定の話速で再生される。
【発明の効果】
【００１０】
本発明によると、着信直後に認識した言語に応じて話速変換するので、使用者が容易に聞き取ることのできる言語は通常の話速で再生して会話をスムーズに行うことができる。加えて、使用者が容易に聞き取ることのできない言語は煩雑な操作を必要とせずに迅速に話速を遅くして聞き取りやすくすることができる。従って、通常通話の初期に告げられる相手先の氏名や名称を正確に聞き取ることができ、電話機の利便性を向上することができる。
【００１１】
また本発明によると、音声認識部により日本語を認識した場合よりも外国語を認識した場合の話速を遅くするので、日本語でスムーズに会話を行うことができるとともに、煩雑な操作を必要とせずに外国語を聞き取りやすくすることができる。
【００１２】
また本発明によると、通話相手の話速を切り替える切替手段を設けたので、使用者が通常の速度で聞き取ることができる言語の場合や、音声認識部が誤検知した場合に、通話相手の音声を所望の話速に切り替えて再生を行うことができ、電話機の利便性がより向上する。
【発明を実施するための最良の形態】
【００１３】
以下に本発明の実施形態を図面を参照して説明する。図１は一実施形態の電話機の構成を示すブロック図である。電話機１は各部を制御する制御回路１３を有している。制御回路１３にはフックスイッチ２３、２線／４線回路２、切替回路８、発呼者番号検出回路１２、ＣＡＲ検出回路１１、着信検出回路１０、極性反転検出回路９、音声認識回路２０、音声合成回路２１、ＲＯＭ１４、ＲＡＭ１５、載置検出手段１９、ベル１６、表示手段１７、入力手段１８、話速変換部２２が接続される。
【００１４】
フックスイッチ２３は電話回線に接続され、直流ループの解除による回線の開放（オンフック）及び直流ループの形成による回線の閉結（オフフック）を行う。２線／４線回路２はフックスイッチ２３に接続され、２線／４線変換を行う。切替回路８は２線／４線回路２に接続されるとともに、ハンドセット３及び増幅器６、７が接続される。
【００１５】
ハンドセット３はスピーカ３１及びマイクロホン３２を有している。増幅器６、７はそれぞれハンズフリーのスピーカ４及びマイクロホン５が接続され、出力音声または入力音声の音声信号を増幅する。切替回路８により、ハンドセット３とハンズフリー用のスピーカ４及びマイクロホン５とを切り替えて２線／４線回路２に接続する。
【００１６】
極性反転検出回路９は電話回線に接続され、電話回線の極性の反転を検出する。着信検出回路１０は電話回線に接続され、着信（呼出信号）を検出する。ＣＡＲ検出回路１１は電話回線に接続され、ＣＡＲ信号を検出する。発呼者番号検出回路１２は２線／４線回路２を介して入力されたモデム信号により発呼者の電話番号（発呼者番号）を検出して制御回路１３に出力する。
【００１７】
ＲＯＭ１４は制御回路１３の動作プログラム等を記憶する。ＲＡＭ１５は制御回路１３の動作に必要な留守録の応答メッセージ、保留を知らせるメッセージ、電話帳データ等を記憶する。また、ＲＡＭ１５には「もしもし」や「ＨＥＬＬＯ」等の言語を判別するためのデータベースが記憶される。ベル１６は着信時に呼び出し音を出力する。表示手段１７は液晶表示パネル等から成り、ダイヤルした電話番号や電話帳データ等を表示する。入力手段１８は複数の操作キー等から成り、電話番号の入力等を行う。
【００１８】
載置検出手段１９はハンドセット３がハンドセット載置部（不図示）に載置されているか否かを検出して制御回路１３に出力する。音声認識回路２０（音声認識部）は入力された音声を認識して通話相手の通話言語をＲＡＭ１５に記憶されたデータと比較して判別し、制御回路１３に出力する。音声合成回路２１は制御回路１３から入力された文字データから音声信号を生成する。話速変換部２２は入力された音声信号の時間軸を圧縮または伸長して音声信号の再生速度を変更する。
【００１９】
上記構成の電話機１において、電話を発信する場合は、ハンドセット３を持ち上げると載置検出手段１９によりハンドセット３を持ち上げたことが検知される。これにより、切替回路８がハンドセット３と２線／４線回路２とを接続し、フックスイッチ２３により電話回線が開放される。入力手段１８により相手先の電話番号を入力すると電話回線を介して相手先に接続される。通話相手が電話に出ると極性反転検出回路９が検知し、ハンドセット３による通話が可能になる。また、通話相手が電話を切った場合は極性反転検出回路９が検知してフックスイッチ２３により電話回線が閉結される。
【００２０】
尚、ハンドセット３を載置したままで入力手段１８の入力が行われると、切替回路８により増幅器６、７と２線／４線回路２とを接続してハンズフリーで通話可能になる。また、ＲＡＭ１５に格納された電話帳データを入力手段１８により選択して電話番号を発信してもよい。また、入力手段１８で入力した文字を音声合成回路２１で音声合成して通話することもできる。
【００２１】
電話の着信があった場合は、着信検出回路１０により着信が検出され、ベル１６により呼び出し音が鳴動される。この時、発呼者番号検出回路１２により相手先の電話番号が表示手段１７に表示される。また、ナンバーディスプレイの場合はＣＡＲ検出回路１１によりＣＡＲ信号を検出して所定のデータが表示手段１７に表示される。
【００２２】
ハンドセット３を持ち上げると載置検出手段１９によりハンドセット３を持ち上げたことが検知される。これにより、切替回路８がハンドセット３と２線／４線回路２とを接続し、フックスイッチ２３により電話回線を開放して通話が可能になる。また、入力手段１８により所定の操作を行うと、切替回路８により増幅器６、７と２線／４線回路２とを接続してハンズフリーで通話可能になる。
【００２３】
図２は着信時の詳細な動作を示すフローチャートである。着信して通話可能になると、ステップ＃１１で着信直後からの通話相手の音声信号を音声認識回路２０により認識して言語を判別する。ＲＡＭ１５には「もしもし」や「ＨＥＬＬＯ」等の電話による通話の始めに通常使用される言葉が格納され、音声認識回路２０は音声信号とＲＡＭ１５のデータとを比較して判別を行う。ステップ＃１２では所定時間が経過するまで音声認識回路２０による判別を継続する。「もしもし」や「ＨＥＬＬＯ」等の言葉を判別することができる充分な所定時間が経過するとステップ＃１３に移行する。
【００２４】
ステップ＃１３では音声認識回路２０により判別した言語が「ＨＥＬＬＯ」等の外国語であるか否かが判断される。音声認識回路２０により判別した言語が外国語の場合はステップ＃１４に移行し、「もしもし」等の日本語の場合はステップ＃１５に移行する。ステップ＃１４では話速変換部２２により通話相手の音声の話速が例えば１／２倍速等に遅くなるように変換して通話が行われる。ステップ＃１５では通話相手の音声の話速変換は行わずに通常の速度（１倍速）で通話が行われる。
【００２５】
本実施形態によると、着信直後に認識した言語に応じて話速変換部２２により通話相手の音声を話速変換するので、音声認識回路２０により通話相手の言語として日本語を認識した場合は通常の話速で再生して会話をスムーズに行うことができる。加えて、使用者が容易に聞き取ることのできない外国語の場合は、煩雑な操作を必要とせずに迅速に話速を遅くして通話の初期から聞き取りやすくすることができる。従って、通常通話の初期に告げられる相手先の氏名や名称を正確に聞き取ることができ、電話機１の利便性を向上することができる。
【００２６】
本実施形態において、音声認識回路２０の判別結果に拘わらず、通話相手の音声を通常の速度（１倍速）や予め設定した速度で再生させる切替手段を設けてもよい。これにより、使用者が日本語の他に通常の速度で聞き取ることができる言語がある場合や、音声認識回路２０により誤検知した場合に、通話相手の音声を所望の話速に切り替えて再生を行うことができる。また、通話相手の音声を通常の速度で再生する複数の言語を選択できる選択手段を設けてもよい。これにより、使用者が容易に聞き取ることのできる複数の言語について特別な操作を必要とせずに通話相手の音声を所望の話速で再生することができる。
【産業上の利用可能性】
【００２７】
本発明は、話速変換機能を有する電話機に利用することができる。
【図面の簡単な説明】
【００２８】
【図１】本発明の実施形態の電話機の構成を示すブロック図
【図２】本発明の実施形態の電話機の着信時の動作を示すフローチャート
【符号の説明】
【００２９】
１    電話機
２    ２線／４線回路
３    ハンドセット
４、３１  スピーカ
５、３２  マイクロホン
６、７  増幅器
８    切替回路
９    極性反転検出回路
１０    着信検出回路
１１    ＣＡＲ検出回路
１２    発呼者番号検出回路
１３    制御回路
１４    ＲＯＭ
１５    ＲＡＭ
１６    ベル
１７    表示手段
１８    入力手段
１９    載置検出手段
２０    音声認識回路
２１    音声合成回路
２２    話速変換部
２３    フックスイッチ
【図１】
2007081643.tif 000003
【図２】
2007081643.tif 000004